(57)【要約】    【課題】  表示部を備える携帯電話機等の携帯情報端末において、状況に応じて機能が割り当てられ得る複数のソフトキーが設けられる場合、当該ソフトキーに割り当てられた機能を容易に認識することができる携帯情報端末を提供する。    【解決手段】  ソフトキー１１８１等に機能が割り当てられている場合に、表示部１２１に、ソフトキー１１８１等に対応して割り当てられた機能を表すソフトキーマーク１２１１等が表示される携帯情報端末において、ソフトキーマーク１２１１の形状が、対応するソフトキー１１８１の形状と近似しているとともに、例えばソフトキー１１８１に設けられる色彩領域１１８１ａ等の識別領域の形態と、対応するソフトキーマーク１２１１に、ソフトキー１１８１の色彩領域１１８１ａと同様の形態で設けられる領域１２１１ａ等の識別領域の形態とが略一致する構成とする。【選択図】          図２
2007048227.tif 000002
【特許請求の範囲】
【請求項１】
状況に応じて機能が割り当てられ得る複数のソフトキーと表示部とが設けられるとともに、前記表示部に、前記ソフトキーに機能が割り当てられている場合に、当該ソフトキーに対応して割り当てられた機能を表すソフトキーマークが表示される携帯情報端末において、
前記ソフトキーマークの形状が、対応するソフトキーの形状と近似しているとともに、
前記ソフトキーマークの形態と、対応するソフトキーの形態との間に共通点がある
ことを特徴とする携帯情報端末。
【請求項２】
前記複数のソフトキーの各々に、各々の形態が異なる識別領域が設けられ、
前記ソフトキーマークに、対応するソフトキーに設けられる識別領域の形態と共通点を有する形態の識別領域が設けられる
ことを特徴とする請求項１に記載の携帯情報端末。
【請求項３】
前記ソフトキーに設けられる識別領域の色彩と、前記ソフトキーマークに、対応するソフトキーの識別領域と同様の形態で設けられる識別領域の色彩とが略一致している
ことを特徴とする請求項２に記載の携帯情報端末。
【請求項４】
前記ソフトキーの識別領域について、
ソフトキー以外のキーから認識される色彩と異なる色彩とした
ことを特徴とする請求項２又は３に記載の携帯情報端末。
【請求項５】
複数のソフトキーごとに識別領域の色彩が異なる
ことを特徴とする請求項２から４のいずれかに記載の携帯情報端末。
【請求項６】
ソフトキーの識別領域の色彩が、
複数のソフトキーを複数のグループに分けた場合に、当該グループごとに異なる
ことを特徴とする請求項２から５のいずれかに記載の携帯情報端末。
【請求項７】
複数のソフトキーが上下左右対称の位置に設けられた場合において、
上下方向の位置ごと、若しくは左右方向の位置ごとに識別領域の色彩が異なる
ことを特徴とする請求項６に記載の携帯情報端末。
【請求項８】
ソフトキーの識別領域の色彩を可変とした
ことを特徴とする請求項２から７のいずれかに記載の携帯情報端末。
【請求項９】
前記ソフトキーの識別領域に形成されるパターンと、前記ソフトキーマークに、対応するソフトキーの識別領域と同様の形態で形成されるパターンとが略一致している
ことを特徴とする請求項２から８のいずれかに記載の携帯情報端末。
【請求項１０】
前記複数のソフトキーの各々に、各々の形状が異なる識別領域が設けられ、
前記ソフトキーマークに、対応するソフトキーに設けられる識別領域の形状と略一致した形状の識別領域が設けられる
ことを特徴とする請求項２に記載の携帯情報端末。
【請求項１１】
前記ソフトキーの識別領域は、複数のソフトキーの各々で、ソフトキー内での位置及び／又は大きさが異なる
ことを特徴とする請求項２から１０のいずれかに記載の携帯情報端末。
【請求項１２】
前記ソフトキーに形成されるパターンと、前記ソフトキーマークに形成されるパターンとが略一致している
ことを特徴とする請求項１から１１のいずれかに記載の携帯情報端末。
【請求項１３】
前記ソフトキーについて、
ソフトキー以外のキーよりもバックライトの明るさを明るくした
ことを特徴とする請求項１から１２のいずれかに記載の携帯情報端末。
【請求項１４】
前記ソフトキーは、ソフトキー以外のキーと異なる色彩で点灯する
ことを特徴とする請求項１から１３のいずれかに記載の携帯情報端末。
【請求項１５】
前記携帯情報端末は、表示部を備えた携帯電話機である
ことを特徴とする請求項１から１４のいずれかに記載の携帯情報端末。
【発明の詳細な説明】
【技術分野】
【０００１】
本発明は、携帯電話機等の携帯情報端末に関し、特に、状況に応じてそれぞれに機能が割り当てられ得る複数のソフトキーが設けられた携帯電話機等の携帯情報端末に関する。
【背景技術】
【０００２】
近年、携帯電話機等の携帯情報端末の高機能化は著しく、テンキーによる番号指定のみで階層化されたメニューを辿っていく作業が極めて煩雑となり得ることから、例えば受信メール一覧の表示や電話帳の一覧表示、ヘルプの表示など、押下された場合に実行される機能を割り当てることができるキーを設けることが多い。当該キーに機能を割り当てることが便宜であるか否か、あるいは、どのような機能を割り当てることが操作性向上に有益であるか等は状況にも依存するため（例えば電話帳の一覧表示前の状況では「電話帳の一覧表示」の機能が割り当てられていたキーに、電話帳の一覧表示後の状況では「ヘルプの表示」の機能を割り当てる場合など）、ユーザにとってのわかりやすさの観点から、液晶パネル等から成る表示部に、それぞれのキーに割り当てられた機能を表示することが一般的に行われている。以下、状況に応じて機能が割り当てられることがあるキーを「ソフトキー」といい、ソフトキーに対応して表示部に表示されるマークを「ソフトキーマーク」という。
【０００３】
図８は、表示部にソフトキーマークを表示する従来の表示方法の一例を示す図である。同図に示された携帯電話機９００において、キー９０１に「メニューの表示」の機能が割り当てられ、キー９０２に「電話帳の一覧」の機能が割り当てられているとすると、表示部９２１の左下に、キー９０１に「メニューの表示」の機能が割り当てられていることを示すソフトキーマーク９３１が表示され、キー９０２に「電話帳の一覧」の機能が割り当てられていることを示すソフトキーマーク９３２が表示される。
【０００４】
【特許文献１】特開平８−２５５０６７号公報
【発明の開示】
【発明が解決しようとする課題】
【０００５】
しかしながら、上記従来のソフトキーマークの表示方法では、特に利用者が高齢の場合、ソフトキー９０１、９０２とソフトキーマーク９３１、９３２とが、それぞれ対応していることすら認識されていない場合が多いという問題点があった。これでは利用者の操作性向上のために、せっかくソフトキーを設けた意味が無いばかりでなく、状況に応じてソフトキーに割り当てられた機能が変更されたときには、かえって操作性の低下を招来しかねない。ソフトキー９０３や９０４にも機能が割り当てられた場合には、どのソフトキーがどのような機能か一見して理解が困難であり、さらに操作性が低下する。
【０００６】
本発明は係る問題点に鑑みてなされたものであって、ソフトキーの使い勝手を向上させることができる携帯電話機等の携帯情報端末を提供することを目的としている。
【課題を解決するための手段】
【０００７】
上記の問題点を解決するために、本発明に係る携帯情報端末は、状況に応じて機能が割り当てられ得る複数のソフトキーと表示部とが設けられるとともに、前記表示部に、前記ソフトキーに機能が割り当てられている場合に、当該ソフトキーに対応して割り当てられた機能を表すソフトキーマークが表示される携帯情報端末において、前記ソフトキーマークの形状が、対応するソフトキーの形状と近似しているとともに、前記ソフトキーマークの形態と、対応するソフトキーの形態との間に共通点があることを特徴としている。
【０００８】
本発明の構成では、ソフトキーマークの形状が、対応するソフトキーの形状と近似しているとともに、ソフトキーマークの形態と、対応するソフトキーの形態との間に共通点があることから、ソフトキーとソフトキーマークとの対応関係が一目瞭然であり、両者が対応していることが認識されないといった事態が防止され、ソフトキーに割り当てられた機能が容易に認識可能となるため、使い勝手が向上する。三つ以上のソフトキーに機能が割り当てられた場合には特に好適である。
【０００９】
前記複数のソフトキーの各々に、各々の形態が異なる識別領域が設けられ、前記ソフトキーマークに、対応するソフトキーに設けられる識別領域の形態と共通点を有する形態の識別領域が設けられる構成とすることが好ましい。もっとも、上記ソフトキー及びソフトキーマークの形態については、識別領域を設ける以外に、例えばキー全体にパターンを形成するような場合も考えられる。
【００１０】
識別領域の形態の共通点の一例として、前記ソフトキーに設けられる識別領域の色彩と、前記ソフトキーマークに、対応するソフトキーの識別領域と同様の形態で設けられる識別領域の色彩とが略一致している構成とすることができる。
【００１１】
さらにソフトキーの機能を認識しやすくする方策として、例えば、前記ソフトキーの識別領域について、ソフトキー以外のキーから認識される色彩と異なる色彩とした構成とすることができる。ソフトキー以外の数字（ダイアル）キー等について、あえて識別領域のような領域を設けない場合でも、周囲が暗い場合にはバックライトにより何らかの色彩が認識されるのが通常であるが、本発明の構成では、両者の色彩を異ならしめることにより、さらに認識が容易となる。また、前記ソフトキーについて、ソフトキー以外のキーよりもバックライトの明るさを明るくした構成とすることができる。
【００１２】
ソフトキーとソフトキーマークとの対応関係をわかりやすくし、ソフトキーに割り当てられた機能を容易に認識させる方策として、例えば、複数のソフトキーごとに識別領域の色彩が異なる構成とすることができる。
【００１３】
また、ソフトキーの識別領域の色彩が、複数のソフトキーを複数のグループに分けた場合に、当該グループごとに異なる構成とすることができる。この方法の一例として、複数のソフトキーが上下左右対称の位置に設けられた場合において、上下方向の位置ごと、若しくは左右方向の位置ごとに識別領域の色彩が異なる構成とすることができる。
なお、ソフトキーの識別領域の色彩を可変とした構成とすることも可能である。
【００１４】
識別領域の形態の他の一例として、前記ソフトキーの識別領域に形成されるパターンと、前記ソフトキーマークに、対応するソフトキーの識別領域と同様の形態で形成されるパターンとが略一致している構成とすることができる。
【００１５】
また、他の一例として、前記複数のソフトキーの各々に、各々の形状が異なる識別領域が設けられ、前記ソフトキーマークに、対応するソフトキーに設けられる識別領域の形状と略一致した形状の識別領域が設けられる構成とすることができる。なお、前記ソフトキーの識別領域は、複数のソフトキーの各々で、ソフトキー内での位置及び／又は大きさが異なる構成も可能である。この場合、形状、色彩は全て同一でも構わない。
【００１６】
前記ソフトキーに形成されるパターンと、前記ソフトキーマークに形成されるパターンとが略一致している構成とすることもできる。この場合、特に識別領域は設ける必要がなく、ソフトキー及びソフトキーマークの全体にパターンを形成すればよい。
【００１７】
前記ソフトキーは、ソフトキー以外のキーと異なる色彩で点灯する構成とすると、ソフトキーの認識に、より好適である。この場合も、特に識別領域を設ける必要はない。
【００１８】
本発明は、携帯情報端末の一例としての携帯電話機に適用された場合に、特に大きな効果が得られると考えられる。携帯電話機においては、高機能化の要求が強く、ソフトキーにも多種多様な機能が割り当てられ得ること、利用者の中で高齢者の占める割合も高いこと等による。
【発明の効果】
【００１９】
本発明に係る携帯情報端末によると、ソフトキーとソフトキーマークとの対応関係が一目瞭然であり、両者が対応していることが認識されないといった事態が防止されるため、ソフトキーが設けられた携帯電話機等の携帯情報端末の使い勝手を向上させることができるという効果を奏する。
【発明を実施するための最良の形態】
【００２０】
以下、本発明の実施の形態について、本発明の適用対象である携帯情報端末の一例としての携帯電話機を例として、図面を参照しながら説明する。
（１）携帯電話機の構成
図１は、本実施の形態における携帯電話機の構成（外観）の一例を示す図である。本実施の形態の携帯電話機１０は、携帯電話機本体１１に対してフリップ１２が開閉自在に設けられた折畳式の携帯電話機であって、同図１は、フリップ１２が開かれた状態の正面図である。
【００２１】
本体１１側には、通話の際に音声が入力されるマイク部１１２の他、携帯電話機１０を操作する各種操作キーが設けられている。同図の例では、電話番号等を入力する１から０までの数字及び「＊」及び「＃」を含むダイアルキー１１５、携帯電話機１０に対し電源投入を行う際に押下される電源キー１１５１、着信時、通話を開始する際に押下される通話キー１１５３、表示部１２１に表示された画像を上下方向にスクロールさせたり、選択された処理を確定させる場合等に押下される選択決定キー１１６、各々に、状況に応じて機能が割り当てられ得るソフトキー１１８１〜１１８４が設けられている。ソフトキー１１８１〜１１８４には、状況に応じて、例えば電話帳の一覧を表示する機能や、受信メールの一覧を表示する機能、ヘルプ画面に切り替える機能、数字入力やアルファベットの小文字入力など、入力モードを切り替える機能等を割り当てることができる。
【００２２】
ソフトキー１１８１〜１１８４には、上記したような機能が割り当てられる場合と割り当てられない場合とがある。例えば、電話帳の一覧が表示されている状況でソフトキーに電話帳の一覧表示機能を割り当てるのは無意味であるから、この状況ではソフトキーへの機能の割り当てを行わないようにしたり、他の機能、例えばヘルプの表示の機能を割り当てることができる。このように、状況に応じて任意の機能を割り当てることができるのは、他の状況においても、あるいはいずれのソフトキーについても同様である。
【００２３】
フリップ１２の内面には液晶ディスプレイ等から成る表示部１２１、通話時に音声が出力されるスピーカ部１２２が設けられている。表示部１２１への表示は、携帯電話機１０の全体の動作を制御するＣＰＵ（不図示）による制御に基づいて表示制御部（不図示）を介して行う。前記したソフトキー１１８１〜１１８４は、状況に応じて割り当てられる機能が変わったり、機能が割り当てられない状況があったりするため、同図１にも示されるように、表示部１２１の下方にソフトキーに割り当てられた機能を示すマークを表示するようにしている。このように、機能が割り当てられたソフトキーに対応して表示部１２１に表示されるマークを、以下、「ソフトキーマーク」という。このソフトキーマークの表示方法を工夫して、複数（本実施の形態では四つ）設けられたソフトキーとの対応関係を一目瞭然とし、ユーザの使い勝手を向上させる点が本発明の骨子である。
【００２４】
（２）ソフトキーマークの表示について
（実施の形態１）
以下、本実施の形態におけるソフトキーマークの表示について、詳細に説明する。図２は、第１の実施の形態におけるソフトキーマークの表示態様について説明するためのソフトキー及びソフトキーマーク部分の拡大図である。
【００２５】
同図に示されるように、本実施の形態では、まずソフトキー１１８１及び１１８２に、色彩が識別可能な領域（以下、本発明の「識別領域」の一例として「色彩領域」という。）１１８１ａ、１１８２ａ、１１８３ａ、１１８４ａを設ける。色彩領域は、ソフトキーの一部（同図の例では、キーの外側に半円状の色彩領域を設けている。）に当該色彩が認識可能なように印刷処理を施すことにより形成することができる。
【００２６】
色彩領域は、通常の明るさの状況下で識別できるように形成することが好ましいが、周囲が暗くバックライトが点灯した場合に識別可能であるような形成方法でも一定の効果を得ることができる。
【００２７】
同図の例では、ソフトキーの全体を銀色地に、例えばソフトキー１１８１の場合には黒の文字で「Ｍｅｎｕ」と記載し（通常、ソフトキー側のこの文字の記載は固定となる。）、キー１１８１の外側、符号１１８１ａで表される半円状の色彩領域を青色に識別可能に形成する（同図に示される本実施の形態においては、色彩領域１１８２ａも同様）。そして、ソフトキー１１８１にメニュー表示の機能が割り当てられている状況においては、それに対応して、表示部１２１の下方に、近似した形状でソフトキーマーク１２１１（白色地中に「Ｍｅｎｕ」の文字を記載）を表示するとともに、ソフトキーマーク１２１１の符号１２１１ａで表される半円状の色彩領域を、領域１１８１ａと同様に青色で表示する。この表示は、右側のソフトキー１１８２についても同様である。
【００２８】
以上、図面からも分かるように、本実施の形態のソフトキー及びソフトキーマークの構成により、両者の対応関係は一目瞭然であり、両者の対応関係が認識されないといった事態が防止され、ソフトキーに割り当てられた機能を容易に認識することができるようになる。
【００２９】
（実施の形態２）
次に本発明の第２の実施の形態について説明する。上記第１の実施の形態では、ソフトキーが四つ設けられている場合において、上側二つのソフトキーに機能が割り当てられた場合について説明した。
【００３０】
本実施の形態では、下側のソフトキー１１８３及び１１８４にも機能が割り当てられる場合について説明する。図３は、下側のソフトキーにも機能が割り当てられる場合のソフトキーマークの表示の一例を示す図である。同図３の例では、ソフトキー１１８３に設けられた色彩領域１１８３ａを赤色とし、対応するソフトキーマーク１２１３に、色彩領域１１８３ａと同様の形態で設けられた色彩領域１２１３ａの色彩を同様に赤色としている。
【００３１】
このように、上側のソフトキーの色彩と下側のソフトキーの色彩とを異ならせることにより、両者の対応関係がさらにわかりやすくなり、ソフトキーに割り当てられた機能を、さらに容易に識別することができる。
【００３２】
なお、ソフトキーの色彩領域の色彩は、例えば四つ全てを変えることも可能であるし、複数のソフトキーを複数のグループに分けた場合に、当該グループごとに異なる構成とすることもできる。上記の例も、上側のグループと下側のグループとで色彩を変えた例であるし、左側のソフトキー１１８１及び１１８４と右側のソフトキー１１８２及び１１８３とで色彩を変えるような構成も可能である。
【００３３】
（変形例）
以上、本発明の実施の形態について説明したが、本発明の内容が上記実施の形態において説明された具体例によって限定されないことは勿論であり、例えば、以下のような変形例を実施することもできる。
【００３４】
（１）上記実施の形態では、ソフトキーの形状を図示した如き形状とし、ソフトキーの中の色彩領域の形状を半円状としたが、ソフトキー及び色彩領域の形状がこれに限定されないことは勿論である。例えば図４に一例が示されるように、ソフトキー１１８１等の形状や、色彩領域１１８１ａ等の形状を、より特徴的な形状とすることにより、ユーザの認識し易さはさらに飛躍的に向上する。どのような形状としても、表示部１２１への表示はソフトウェア的に任意に変更することが可能であるため、両者を対応させることも容易である。
【００３５】
（２）上記実施の形態では、複数のソフトキーの形状は半円状でいずれも略同一（ただし、ソフトキーの中での位置関係は複数のソフトキー１１８１〜１１８４で異なる。）であったが、ソフトキーの形状や色彩領域の形状をキーごとに異ならしめることも可能である。例えば、ソフトキー１８１１は星形で色彩領域１１８１も星形、ソフトキー１１８２はハート形で色彩領域１１８２もハート形といった形態も可能である。上記したように表示部１２１への表示を対応させることも容易である。
【００３６】
（３）ソフトキー１１８１〜１１８４及び対応するソフトキーマークに設ける識別領域の形態の他の一例として、識別領域の形状を変える構成も可能である。図５は、この場合の識別領域の形態の一例を示す図である。同図の例では、ソフトキー１１８１〜１１８４に設けられる識別領域１１８１ｂ〜１１８４ｂの形状を星形、四角形、三角形、丸形、などでソフトキーごとに異なる形状とし、対応するソフトキーマーク１２１１〜１２１４に設けられる識別領域１２１１ｂ〜１２１４ｂの形状と共通させる構成としている。この場合、ソフトキーの識別領域１１８１ｂ等とソフトキーマークの識別領域１２１１ｂ等との色彩は異なる構成とすることもできる。また、例えばソフトキー１１８１とソフトキー１１８２とで、識別領域の形状は同じ星形であっても、ソフトキーの中での位置関係及び／又は大きさを変える構成も可能である。例えばソフトキー１１８１の中では星形の識別領域１１８１ｂを右端に配し、ソフトキー１１８２の中では星形の識別領域１１８２ｂを左端に配するといったこともできる。
【００３７】
（４）ソフトキー１１８１〜１１８４及び対応するソフトキーマークに設ける識別領域の形態の他の一例として、識別領域に形成するパターンの形態を変える構成も可能である。図６は、この場合の識別領域の形態の一例を示す図である。同図の例では、ソフトキー１１８１〜１１８４に設けられる識別領域１１８１ｃ〜１１８４ｃに、ソフトキーごとに異なるパターンを形成し、対応するソフトキーマーク１２１１〜１２１４に設けられる識別領域１２１１ｃ〜１２１４ｃに形成するパターンの形態と共通させる構成としている。この場合も、ソフトキーの識別領域１１８１ｃ等とソフトキーマークの識別領域１２１１ｃ等との色彩は異なる構成とすることもできる。また、例えばソフトキー１１８１とソフトキー１１８２とで、パターンの形態は同じであっても、ソフトキーの中での識別領域の位置関係及び／又は大きさを変える構成も可能である。例えばソフトキー１１８１の中では識別領域１１８１ｃを右端に配し、ソフトキー１１８２の中では識別領域１１８２ｃを左端に配するといったこともできる。
【００３８】
（５）ソフトキー１１８１〜１１８４及びソフトキーマーク１２１１〜１２１４の形態の他の一例として、キー全体に形成するパターンを変える構成も可能である。図７は、この場合のソフトキー等の形態の一例を示す図である。同図の例では、ソフトキー１１８１〜１１８４に、ソフトキーごとに異なるパターンを形成し、対応するソフトキーマーク１２１１〜１２１４に形成するパターンの形態と共通させる構成としている。この場合も、ソフトキー１１８１等とソフトキーマーク等との色彩は異なる構成とすることもできる。
【００３９】
（６）上記実施の形態では、ソフトキーマークを表示部１２１の最下方部分に設けたが、ソフトキーマークを表示する領域はこの部分に限定されず、表示部１２１のどの領域に配置しても構わない。特に本発明のソフトキーマークは、ソフトキーとの対応関係が格段に認識しやすくなっているので、例えばキー１１８１に対応するマークとキー１１８２に対応するマークとを必ずしも左右対称の位置に配置しないようなケースもあり得る。もっとも、利用者から見た違和感の少なさの観点からすれば、通常は上記実施の形態で説明したような位置に設けることが多いとは思われる。
【００４０】
（７）上記実施の形態では、ソフトキー以外のキー（例えばダイアルキー１１５）の色彩については説明を省略したが、特にバックライトが点灯した場合、ダイアルキーの数字部分等から通常何らかの色彩が認識される。この際、例えば上記に示したソフトキーの色彩領域１１８１ａ等の色彩、あるいはソフトキー１１８１等の色彩を、ダイアルキー１１５など、ソフトキー以外のキーから認識される色彩と異なる色彩とすれば、さらに使い勝手が向上する。例えば図３の例のようにソフトキーの色彩領域が青色や赤色であれば、ダイアルキー等の他のキーからは、黄色などの異なる色彩が認識されるような形成を行うことができる。
【００４１】
（８）機能が割り当てられたソフトキー（ソフトキーマークが表示部に表示されるソフトキー）について、他のキーよりバックライトの明るさを変えることもできる。例えばソフトキーマークに対応するソフトキーについて、他のキーよりバックライトを明るくする構成とすれば、さらに使い勝手が向上する。バックライトの明るさの変更は、例えばバックライトとして用いられるＬＥＤに接続された抵抗の抵抗値を変えること、より好ましくは可変とすることなどにより容易に実現することが可能である。ソフトキーに機能が割り当てられていない場合でも、他のキーよりバックライトを明るくするようにしてもよい。
【００４２】
（９）上記実施の形態では、ソフトキー１１８１〜１１８４の側の色彩領域の色彩は固定としたが、端末のサイズ、製造コスト等の制約を考慮しなければ、ソフトキー側の色彩を可変とすることも可能である。ソフトキーに色彩を付与するような印刷処理を施すのではなく、例えばバックライトとして複数色のＬＥＤを備え、各々のＬＥＤの明るさを可変とすることで実現することができる。
【００４３】
（１０）上記実施の形態では、本発明を携帯電話機に適用する場合について説明したが、本発明の適用対象が携帯電話機に限定されるわけではなく、上記ソフトキーのような役割を果たすキーが設けられた携帯情報端末であれば、本発明を適用することは可能である。
【産業上の利用可能性】
【００４４】
本発明は、例えば携帯電話機等の携帯情報端末に適用することができる。
【図面の簡単な説明】
【００４５】
【図１】本実施の形態における携帯電話機の外観の一例を示す図である。
【図２】第１の実施の形態におけるソフトキーマークの表示態様について説明するためのソフトキー及びソフトキーマーク部分の拡大図である。
【図３】下側のソフトキーにも機能が割り当てられる場合のソフトキーマークの表示の一例を示す図である。
【図４】ソフトキーの形状や色彩領域の形状を、より特徴的な形状とした場合の一例を示す図である。
【図５】本発明の変形例におけるソフトキー及びソフトキーマークの態様について説明するための図である。
【図６】本発明の変形例におけるソフトキー及びソフトキーマークの他の態様について説明するための図である。
【図７】本発明の変形例におけるソフトキー及びソフトキーマークの他の態様について説明するための図である。
【図８】表示部にソフトキーマークを表示する従来の表示方法の一例を示す図である。
【符号の説明】
【００４６】
１０                      携帯電話機
１１                      携帯電話機本体
１１５                    ダイアルキー
１１８１〜１１８４        ソフトキー
１１８１ａ〜１１８４ａ    色彩領域
１１８１ｂ〜１１８４ｂ    識別領域
１１８１ｃ〜１１８４ｃ    識別領域
１２                      フリップ
１２１                    表示部
１２１１〜１２１４        ソフトキーマーク
１２１１ａ〜１２１４ａ    色彩領域
１２１１ｂ〜１２１４ｂ    識別領域
１２１１ｃ〜１２１４ｃ    識別領域
【図１】
2007048227.tif 000003
【図２】
2007048227.tif 000004
【図３】
2007048227.tif 000005
【図４】
2007048227.tif 000006
【図５】
2007048227.tif 000007
【図６】
2007048227.tif 000008
【図７】
2007048227.tif 000009
【図８】
2007048227.tif 000010